(57)【要約】【課題】周期的なノイズが多い環境においてそのノイズの影響を受けることなく人体の近接又は接触の検知を可能とするタッチセンサを提供する。【解決手段】指等人体が近接又は接触する検出電極２と、検出電極に生じた静電容量に対応する電気量を計測する計測回路３と、一定周期で計測回路により計測を行い、その計測値を設定された閾値と比較することによって人体のタッチを判断する判断部４と、を備え、判断部４には、所定期間内において計測回路３による計測値が閾値を超えた時間の合計が、所定期間に対して所定の比率以上の時間となったときに人体のタッチがあると判断する合計時間検知手段４１を備える。このようなタッチセンサは確実に人体のタッチを検知し、強力なフィルタ手段によりノイズを除去する場合に比べて、タッチセンサの検出感度及び応答性を維持することが容易となる。【選択図】図１
2014035705.tif 000002
【特許請求の範囲】
【請求項１】
人体の近接又は接触を検出するタッチセンサであって、
人体が近接又は接触する検出電極と、
前記検出電極に生じた静電容量に対応する電気量を計測する計測回路と、
一定周期で前記計測回路により計測を行い、その計測値を設定された閾値と比較することによって人体の近接又は接触を判断する判断部と、
を備え、
前記判断部は、所定期間内において前記計測回路による計測値が前記閾値を超えた時間の合計が、前記所定期間に対して所定の比率以上の時間となったときに人体の近接又は接触があると判断することを特徴とするタッチセンサ。
【請求項２】
前記計測回路による計測値の変動に既知の周期のノイズが含まれる場合において、
前記所定期間は前記ノイズの１周期を超える時間である請求項１記載のタッチセンサ。
【請求項３】
前記判断部は、前記計測回路による計測値が設定された閾値を第２の所定時間連続して超えたときにも人体の近接又は接触があると判断する請求項１又は２に記載のタッチセンサ。
【請求項４】
前記閾値は、前記計測回路による計測値の変動から前記ノイズ成分を阻止するフィルタ手段を介して生成された信号に基づいて設定される請求項１乃至３のいずれかに記載のタッチセンサ。
【発明の詳細な説明】
【技術分野】
【０００１】
本発明は、タッチセンサに関し、詳しくは、周期的なノイズが多い環境においてそのノイズの影響を受けることなくタッチ検出を行うことを可能にするタッチセンサに関する。
【背景技術】
【０００２】
従来、屋内・屋外の各種装置や設備において、人の指等が近接又は接触する操作部分に１つ又は複数からなる検出電極を備え、その検出電極に生じる浮遊容量又は接地（大地）との間の静電容量の変化を計測することによって人体の近接又は接触を検知するタッチセンサや、それを用いたタッチスイッチが広く用いられている。
このようなタッチセンサでは、単に静電容量に対応する電気量の変化をみて、その値が一定の閾値を超えた（若しくは下回った）ときに人体の接触があると判断すると、検出電極に生じる静電容量が環境等により変化したり、検出される電気量がノイズの影響により変化したりするため、誤判断を生じてしまうという問題がある。
この問題の対策として、例えば、静電容量に対応する電気量が一定時間以上閾値を超えている場合に人体の接触があると判断する等、さまざまな手法が用いられている。また、温度等の環境変化によらず正確なタッチ検出を行うため、検出電極間の静電容量変化を検出してその変化速度を求め、所定の変化速度以上の変化が生じた時点からその所定の変化速度以上の変化が所定時間以上継続したときにタッチ検出を確定するようにしたタッチセンサが知られている（特許文献１を参照。）。
【先行技術文献】
【特許文献】
【０００３】
【特許文献１】特開平１１−１３６１１６
【発明の概要】
【発明が解決しようとする課題】
【０００４】
指等人体の検出電極への近接又は接触（タッチ）によって、検出電極に生じる浮遊容量又は大地との間の静電容量や、２つの検出電極間に生じる静電容量は変化する。この静電容量又はその変化に対応する電気量を検出するタッチセンサ又はタッチスイッチにおいて、検出された電気量の計測値を所定の閾値と比較して、例えば一定時間以上連続して閾値を超えている場合に人体のタッチがあると判断する手法は、検出される電気量にノイズが含まれていると閾値の上下に変動し、人の指等のタッチが検知されない場合があるという問題があった。また、ノイズ成分を除去するように検出される電気信号をフィルタリングしたとしても、大きなノイズがある場合にも確実に人体のタッチを検知し、且つ感度及び応答性に優れたタッチセンサを得ることは困難であった。
【０００５】
また、前記特許文献１に記載されているような静電容量の変化速度が所定の変化速度以上で一定時間継続したときにタッチ検出を確定するようにしたとしても、検出される静電容量の信号にノイズが重畳されている場合には、その一定時間の間に変化速度の値や向きが変化するため、人体のタッチが確実には検知されないという問題がある。
【０００６】
すなわち、上記のようないずれの検知手法においても、静電容量又はその変化に対応する電気量の信号にノイズが含まれる場合には、人体のタッチを正確に検知することが困難となる。タッチセンサに影響を及ぼすノイズとして、各種電力回路や電動機等から人体に誘導され、一定範囲の周期（周波数）をもつ周期的ノイズがある。例えば、交流の商用電源から浮遊容量や人体を介して誘導され、検出電極により検出される信号にその交流誘導雑音が乗っている場合がある。
【０００７】
本発明は、上記のような問題に鑑み、周期的なノイズが多い環境においてそのノイズの影響を受けることなく人体の近接又は接触の検知を可能とするタッチセンサを提供することを目的とする。
【課題を解決するための手段】
【０００８】
前記問題点を解決するために、本第１発明のタッチセンサは、人体の近接又は接触を検出するタッチセンサであって、人体が近接又は接触する検出電極と、前記検出電極に生じた静電容量に対応する電気量を計測する計測回路と、一定周期で前記計測回路により計測を行い、その計測値を設定された閾値と比較することによって人体の近接又は接触を判断する判断部と、を備え、前記判断部は、所定期間内において前記計測回路による計測値が前記閾値を超えた時間の合計が、前記所定期間に対して所定の比率以上の時間となったときに人体の近接又は接触があると判断することを要旨とする。
本第２発明は前記第１発明において、前記計測回路による計測値の変動に既知の周期のノイズが含まれる場合において、前記所定期間は前記ノイズの１周期を超える時間であることを要旨とする。
本第３発明は前記第１発明又は第２発明において、前記判断部は、前記計測回路による計測値が設定された閾値を第２の所定時間連続して超えたときにも人体の近接又は接触があると判断することを要旨とする。
本第４発明は前記第１発明乃至前記第３発明において、前記閾値は、前記計測回路による計測値の変動から前記ノイズ成分を阻止するフィルタ手段を介して生成された信号に基づいて設定されることを要旨とする。
【発明の効果】
【０００９】
本第１発明のタッチセンサによれば、指等の人体がタッチ（近接又は接触）する検出電極と、検出電極に生じた静電容量に対応する電気量を計測する計測回路と、一定周期で前記計測回路により計測を行い、その計測値を設定された閾値と比較することによって人体のタッチを判断する判断部と、を備え、判断部は、所定期間内において計測回路による計測値が前記閾値を超えた時間の合計が、前記所定期間に対して所定の比率以上の時間となったときに人体のタッチがあると判断するため、検出される電気量又はその変化に対応する信号に周期的なノイズが含まれていて計測値が閾値の上下に変動する場合であっても、所定期間内において閾値を超えた時間を合計した合計時間により、確実に人体のタッチを検知することができる。また、強力なフィルタ手段によりノイズを除去する場合に比べて、タッチセンサの検出感度及び応答性を維持することが容易となる。
【００１０】
前記計測回路による計測値の変動に既知の周期のノイズが含まれる場合において、前記所定期間は前記ノイズの１周期を超える時間である場合には、一定の範囲の周期（周波数）のノイズに対して適宜期間を定めることによって、計測値の変動にその期間に比べて短い周期のノイズが含まれる場合の人体のタッチ検知を効果的にすることができる。
また、前記判断部は、前記計測回路による計測値が設定された閾値を第２の所定時間連続して超えたときにも人体の近接又は接触があると判断する場合には、計測値の変動に大きなノイズが含まれていない場合にも、人体のタッチを速やかに安定して検知することができる。
【００１１】
前記閾値は、前記計測回路による計測値の変動から前記ノイズ成分を阻止するフィルタ手段を介して生成された信号に基づいて設定される場合には、ノイズ成分が除去された計測値の変動に基づいて、計測値のレベルに応じて常に最適な閾値を設定することができる。これにより、環境変化に対応して最適な閾値を設定することができるばかりでなく、適度なフィルタ効果によりノイズを除去すると共にタッチセンサの検出感度及び応答性を保ちつつ、前記合計時間又は前記連続した時間によって人体のタッチ判断をより正確に行うことが可能になる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本実施形態に係るタッチセンサの構成を表わす模式的なブロック図である。
【図２】本実施形態に係るタッチセンサの動作を説明するために、計測回路による計測値の変動と設定される閾値とを表すグラフである。
【図３】計測回路による計測値の変動とフィルタ手段によって設定される閾値を示すグラフである。
【図４】タッチセンサの制御方法を説明するためのフローチャートである。
【図５】計測回路による計測値の変動と従来のフィルタ処理によって設定された閾値とを表すグラフである。
【図６】計測回路による計測値の変動に対して、より強力なフィルタ処理を行ってノイズを除去した場合のグラフである。
【発明を実施するための形態】
【００１３】
以下、図１〜６を参照しながら本発明のタッチセンサを詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
１．タッチセンサの構成
図１は、本実施形態に係るタッチセンサの構成を表わすブロック図である。本タッチセンサ１は、人体の近接又は接触（タッチ）を検出するタッチセンサであって、人体９がタッチする検出電極２と、検出電極２に生じる静電容量又はその変化に対応する電気量を計測する計測回路３と、周期的に計測回路３により計測された計測値を用いて人体９のタッチを判断する判断部４と、を備える。また、タッチセンサ１は計測回路３及び判断部４を動作させるための図示されない電源等を備える。
【００１５】
検出電極２は、その表面に人体が近接又は接触するように配設される導電体であり、その数、形状、大きさ、構造等は特に限定されない。また、導電体の材質も特に限定されず、金属の他、導電布等が使用されてもよい。ここで、検出電極２への人体の「近接」とは、掌や手指を検出電極の表面に近付ける形態の他、検出電極の表面を覆う絶縁物を介して人体が接触する形態も含み、「接触」は、検出電極の表面に直接人体が接触する形態をいうものとする。
【００１６】
計測回路３は、接続されている検出電極２に生じる電気量を検出し、計測するための回路である。検出電極２と計測回路３の構成、及び検出する電気量は特に限定されず、公知のタッチセンサに用いられている構成及び検出方式を適用することができる。例えば、検出電極２として１つの電極を備え、その電極に生じる浮遊容量又は大地間の静電容量を計測するようにすることができる。この場合、例えば、検出電極２の電位を検出し、計測回路３に設けたＡＤ変換器等を用いてその値Ｃｘを電気量として計測するようにすることができる。また、検出電極２として２つの電極を備え、２つの電極間に生じる静電容量を計測するようにすることもできる。検出電極に生じた静電容量に対応する電気量として、電位の他、インピーダンスや周波数の変化等を計測するようにしてもよい。
計測回路３は、得られた計測値（Ｃｘ）を判断部４に送出する。
【００１７】
判断部４は、一定の周期（サンプリング周期）で、計測回路３により検出電極に生じた電気量を計測し、計測回路３による計測値を入力するように構成されている。サンプリング周期は適宜とすることができる（例えば、１ｍｓ）。また、判断部４は、その計測値の変動を基にして、演算処理や閾値の設定処理を行うように構成されている。この閾値は、通常、タッチの有無の他、温度や湿度等の環境によっても検出電極２に生じる電気量が変化し、その結果計測回路３による計測値のレベルが変化するため、逐次算出して設定することが好ましい。
そして、判断部４は、設定した閾値と計測値との比較、計測値が連続して閾値を超えた時間（連続時間）の算出、計測値が閾値を超えた時間の合計の時間（合計時間）の算出等の処理を行うことによって、検出電極２への人体のタッチの有無を判定するように構成される。尚、以下の図面においては、タッチがあるとき、計測回路３による計測値が閾値を下回っているが、計測値がタッチがある場合の方向に閾値を超えている状態を「閾値を超えている」という。
【００１８】
判断部４の処理は、ハードウェア、ソフトウェアのいずれによって実現されてもよく、好適には、図示しないＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。また、プログラム可能な論理回路、ゲートアレーその他の論理回路を用いて構成されてもよい。このマイクロコントローラ等に、前記計測回路３が内蔵されていてもよい。
その他、判断部４は、各種装置・設備（例えば、照明、空調、ＡＶ機器、自動開閉式窓等）と電気的に接続され、人体の近接又は接触状態と判定した場合には、その判定又は判定による動作をさせるための近接検出信号Ｓをそれら装置等に出力するように構成することができる。
【００１９】
判断部４には、所定期間内において、計測回路３により計測された計測値が前記閾値を超えた時間の合計を求め、その合計時間が前記所定期間に対して所定の比率以上の時間となったときに人体の近接又は接触があると判断する合計時間検知手段４１を備える。ここで、前記所定期間（以下、「対象期間」という。）は、任意の時点から開始される、予め定められた長さの期間とすることができる。また、その対象期間に対して所定の比率以上の時間として、その対象期間よりも短い時間を予め定めておくことができる。
【００２０】
ところで、外来ノイズにより検出電極２に生じる電気量が変化し、そのため計測回路３による計測値が時間的に変動する場合には、判断部４によって人体のタッチを正確に検知することが困難となる。タッチセンサ１に影響を及ぼすノイズとして、周囲の各種電力回路や電動機等から人体に誘導され、一定範囲の周期（周波数）をもつ周期的ノイズがある。例えば、商用電源の配線・機器等から浮遊容量や人体等を介して誘導され、検出電極２により検出される信号及びその計測値の変動に、電源周波数（５０又は６０Ｈz）又はその整数倍の周波数の交流誘導ノイズが含まれてしまう場合がある（図２参照）。
【００２１】
計測回路３により計測された計測値の時間的変動に、交流誘導ノイズのような既知の周期のノイズが含まれる場合において、前記対象期間はそのノイズの１周期を超える時間（好ましくは、ノイズの１周期の２〜４倍）とすることができる。ノイズの一定の範囲の周期に対して対象期間を適宜定め、その対象期間に対して所定の比率以上の時間（例えば、対象期間の１５〜５０％程度、又はノイズの１周期の０．５〜２倍程度の時間）を適宜定めることによって、その対象期間に比べて短い周期のノイズが含まれている場合の人体のタッチ検知を効果的にすることができる。
【００２２】
判断部４は、前記合計時間検知手段４１によって人体のタッチを判断する他、計測回路３による計測値が前記閾値を第２の設定時間連続して超えたときにも人体のタッチがあると判断する連続時間検知手段４２を備えることができる。前記第２の設定時間は、適宜とすることができる（例えば、ノイズの１周期の０．５〜２倍程度）。この連続時間検知手段４２を備えることにより、計測回路３による計測値の変動に大きなノイズが含まれていない場合にも、計測値が連続して閾値を超えた時間（連続時間）が一定時間以上であればタッチがあると判断し、人体のタッチを速やかに安定して検知することができる。
【００２３】
通常、計測回路３による計測値の変動にはノイズが含まれるため、ノイズ成分を除去することが好ましい。また、計測回路３による計測値によりタッチがされている状態であるか否かを判定する基準は温度や湿度等の環境条件によっても変化するため、前記閾値は逐次算出して設定することが好ましい。そのため、前記閾値は、計測回路３による計測値の変動から前記ノイズを阻止するフィルタ手段を介して生成された信号（フィルタ信号）に基づいて設定されるように構成することができる。
前記フィルタ手段は特に限定されず、例えば、計測回路３による計測値の変動を、判断部４に備えるソフトウェアによりフィルタ処理するように構成することができる。また、計測回路３において、検出電極２に生じた電気量の信号から低域フィルタ回路を介してフィルタ信号を生成し、そのフィルタ信号を用いて閾値を設定するように構成してもよい。いずれにしても、フィルタの特性や段数は任意に設定することができ、ノイズを一定限除去した計測値の変動を基に、適宜の演算によりタッチ判定のための調整を施すことによって、前記閾値を設定するように構成することができる。
【００２４】
例として、図３に計測回路による計測値Ｃｘの変動から、ソフトウェアのフィルタ処理によって閾値が設定される例を挙げる。本図は、計測回路３による周期的な計測値Ｃｘを２段の一次遅れ演算を用いてフィルタ処理し、各段の出力値と所定の調整値とを演算することによってタッチ判定の基準となる閾値を求めた例である。
【００２５】
２．タッチセンサの動作
図５は、計測回路３による計測値Ｃｘの変動と、従来のフィルタ処理によって設定された閾値の変動を表している。縦軸は計測値及び閾値のレベルであり、横軸は時間である。本図の範囲においては３回（ａ部）、検出電極２に人体がタッチされているが、計測値には大きなノイズが含まれているため、計測値が一定時間連続して閾値を超える（下回る）ことがなく、タッチの検知が困難となる。尚、計測値の変動から充分にノイズ成分を除去すればタッチが検出可能となるものの、タッチセンサの応答性（例えば、閾値の追従性）が低下する等の問題が生じる。
【００２６】
図２は、本タッチセンサ１の動作を説明するための図であり、人体が検出電極にタッチしたときの計測回路３による計測値Ｃｘと閾値の変動を示している（図５におけるａ部に相当する。）。ここで、計測値Ｃｘは１段のフィルタ手段により一定限ノイズ除去がされた後の変動を示しているが、なお周期的なノイズが重畳されている。図２において、ノイズの周期をＴｎ、検出電極２にタッチがされている期間を接触期間Ｔｔと表しており、その内の３つの期間（Ｔｃ１、Ｔｃ２、Ｔｃ３）において計測値Ｃｘが閾値を超えている。
周期的なノイズとして交流誘導ノイズを挙げることができ、以下では周波数６０Ｈｚの商用電源に起因する交流誘導ノイズ（周期Ｔｎ＝１７ｍｓ）の場合を例に説明する。
【００２７】
本タッチセンサ１の判断部４（合計時間検知手段４１）は、所定期間（対象期間Ｔａｔ）内において、計測回路３による計測値が閾値を超えた時間の合計を求め、その合計時間が対象期間Ｔａｔに対して所定の比率以上の時間となったときに、人体の近接又は接触があると判断する。対象期間Ｔａｔは、周期的なノイズの大きさや特性に応じて定められればよく、そのノイズの１周期を超える時間とすることができる。本図の場合、対象期間Ｔａｔ内において、計測値Ｃｘが閾値を超えた時間の合計（合計時間）は、（Ｔｃ１＋Ｔｃ２＋Ｔｃ３）となる。判断部４は、任意の対象期間Ｔａｔ内において、前記合計時間が一定以上あったときに、人体のタッチがあったと判断することができる。このように判断することで、ノイズのために計測値が連続して閾値を超える時間が短い場合であっても、タッチの検出漏れを防ぐことができる。
前記交流誘導ノイズの場合、例えば、対象期間Ｔａｔを５５ｍｓ（ノイズ周期の３．３倍）とし、判断部４は、５５ｍｓ内に前記合計時間が２０ｍｓ（対象期間の３６％、すなわちノイズ周期の１．２倍）以上あったときに、人体のタッチがあったと判断することができる。
【００２８】
また、タッチセンサ１の判断部４（連続時間検知手段４２）は、前記合計時間検知手段４１によるタッチの検知に加えて、計測回路３による計測値が閾値を一定時間（第２の設定時間）連続して超えたときに、人体の近接又は接触があると判断するようにすることができる。前記第２の設定時間は、例えば、ノイズの周期以上の時間、前記交流誘導ノイズ（周期１７ｍｓ）が生じる場合には１０〜２０ｍｓ程度、とすることができる。前記第２の設定時間を適宜設定することによって、ノイズの有無に関わらず人体のタッチを速やかに安定して検知することができる。
【００２９】
このようなタッチセンサ１の制御の例を、図４に示すフローチャートに基づいて説明する。
判断部４は、計測回路３により検出電極２に生じた静電容量に対応する電気量を計測する（ステップＳ１）。このステップＳ１以下の処理は、一定のサンプリング間隔で行われる。
ステップＳ１により計測された計測値Ｃｘを導入してフィルタ手段によりフィルタ処理を行い、閾値を算出する（ステップＳ２）。フィルタ処理は、例えば、過去の計測値（フィルタ処理の結果）と今回の計測値Ｃｘとを用いた一次遅れ演算によって行うことができる。タッチの有無を判定する基準となる閾値は、フィルタ処理の出力に調整を施して設定することができる。
【００３０】
次いで、今回の計測値ＣｘとステップＳ２で設定された閾値とを比較して、計測値Ｃｘが閾値を超えているか（値が下回っているか）どうかを判断する（ステップＳ３）。今回の計測値Ｃｘとして、ステップＳ２におけるフィルタ処理により一定限ノイズが除去された値を用いることができる。
計測値Ｃｘが閾値を超えていない場合、連続時間を０に初期化する（ステップＳ４）。一方、計測値Ｃｘが閾値を超えていた場合は、連続時間及び合計時間を計時する（ステップＳ５）。具体的には、連続時間及び合計時間に１サンプリング周期を加算して更新する。合計時間は、始めに閾値を超えた時から対象期間の時間の範囲内で、計測値Ｃｘが閾値を超えていた時間を積算することとなる。
【００３１】
その後、連続時間検知手段４２により、連続時間が所定値を超えたかどうかを判断する（ステップＳ６）。連続時間が所定値を超えたときは、タッチがあると判定して、検出信号Ｓを出力する（ステップＳ８）。
次いで、合計時間検知手段４１により、合計時間が一定値以上となったかどうかを判断する（ステップＳ７）。合計時間が一定値以上となったときは、タッチがあると判定して、検出信号Ｓを出力する（ステップＳ８）。
連続時間検知手段４２及び合計時間検知手段４１のいずれによってもタッチがあると決定されなかった場合は、ステップＳ１に戻ってサンプリングタイミングで計測回路３による計測を行う。
【００３２】
３．合計時間によるタッチ検知の試験
以上のようなタッチセンサ１の合計時間検知手段４１により人体のタッチを検知できるかを確認するため、検知試験を行った。この試験は、検出電極２に６０Ｈｚのノイズを与えた状態で、検出電極２に人体９を触れたとき、５５ｍｓの対象期間内に計測値Ｃｘが閾値を超えた合計時間を測定することによって行った。この試験結果は、表１に示すとおりであった。尚、計測値Ｃｘは、１ｍｓのサンプリング周期で検出電極２の電位を検出し、計測回路３に設けたＡＤ変換器を用いて得た値である。
【００３３】
【表１】
2014035705.tif 000003
【００３４】
表１に示すように、実測のタッチ時間が４０ｍｓ〜１２４ｍｓであった場合において、対象期間５５ｍｓ内に計測値Ｃｘが閾値を超えた時間を積算した合計時間は、２０〜３０ｍｓの範囲となった。この結果から、周波数６０Ｈｚの交流誘導ノイズがある場合においては、対象期間を５５ｍｓとし、その対象期間内に計測値Ｃｘが閾値を超えた合計時間が２０ｍｓ以上となったかどうかを判断することによって、人体のタッチが確実に検知されることがわかった。
【００３５】
４．比較例
（１）連続時間検知手段４２により、前記３．と同じ条件でタッチの検知をしたところ、計測値Ｃｘは交流ノイズの１周期１７ｍｓのうち６〜７ｍｓの間閾値を超えた（図５参照）。しかし、仮に計測値Ｃｘが連続して閾値を超えた時間が２０ｍｓを超えたときタッチがあると判定するとした場合、連続時間検知手段４２ではタッチの検知ができないことがわかる。
（２）また、前記（１）の比較例と同じ条件で、計測値Ｃｘの変動に一次遅れフィルタを更に強くかけて、周期的なノイズを除去した場合を図６に示す。この結果からは、初回にタッチがされたときには約１０ｍｓの間計測値Ｃｘが閾値を超えているが、フィルタ処理によって算出される閾値の計測値の変動に対する追従性が低下し、タッチが繰り返された場合に検知ができなくなることがわかる。
【００３６】
以上の試験結果及び比較例からわかるように、周期的なノイズのために連続時間検知手段４２によってタッチの検知ができないような場合であっても、合計時間検知手段４１により、タッチセンサの検出性能を変えることなく、人体のタッチを検知することができることがわかる。
【００３７】
尚、本発明においては、以上に記載した実施形態に限られず、目的、用途に応じて本発明の範囲内で種々変更した実施形態とすることが可能である。
【符号の説明】
【００３８】
１；タッチセンサ、２；検出電極、３；計測回路、４；判断部、４１；合計時間検知手段、４２；連続時間検知手段、９；人体。
【図１】
2014035705.tif 000004
【図２】
2014035705.tif 000005
【図３】
2014035705.tif 000006
【図４】
2014035705.tif 000007
【図５】
2014035705.tif 000008
【図６】
2014035705.tif 000009